(57)【要約】  ３Ｇ（３ｒｄ  Ｇｅｎｅｒａｔｉｏｎ：第三世代）のＬＴＥ（Ｌｏｎｇ  Ｔｅｒｍ  Ｅｖｏｌｕｔｉｏｎ：長期発展形）無線通信システムにおいて、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）が待機状態にある間に、セル更新およびＲＡ（Ｒｏｕｔｉｎｇ  Ａｒｅａ：経路制御領域）更新の手続きを実行するための方法およびシステムが開示される。ＷＴＲＵが待機状態にある間に、ＷＴＲＵがページ・メッセージを受信するか、または送信するべきデータを有するとき、ＷＴＲＵは活性状態に遷移し、そしてｅノードＢ（ｅＮｏｄｅ−Ｂ：発展形ノードＢ）にセル更新メッセージを送る。ｅノードＢはそのセル更新メッセージをＭＭＥ（Ｍｏｂｉｌｉｔｙ  Ｍａｎａｇｅｍｅｎｔ  Ｅｎｔｉｔｙ：移動性管理エンティティ）／ＵＰＥ（Ｕｓｅｒ  Ｐｌａｎｅ  Ｅｎｔｉｔｙ：ユーザ面エンティティ）に転送する。ＭＭＥ／ＵＰＥは、ＷＴＲＵの状態を活性状態に変化させ、かつそのセル更新メッセージに基づく行動を起こす。ＷＴＲＵが新しいＲＡに移動すると、ＷＴＲＵはｅノードＢを介してＭＭＥ／ＵＰＥにＲＡ更新メッセージを送る。ＭＭＥ／ＵＰＥは、そのＲＡ更新メッセージに基づきＷＴＲＵのＲＡを更新する。
2009525681.tif 000002
【特許請求の範囲】
【請求項１】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ｅノードＢ（ｅｖｏｌｖｅｄ  Ｎｏｄｅ−Ｂ：発展形のノードＢ）、およびＭＭＥ（Ｍｏｂｉｌｉｔｙ  Ｍａｎａｇｅｍｅｎｔ  Ｅｎｔｉｔｙ：移動性管理エンティティ）／ＵＰＥ（Ｕｓｅｒ  Ｐｌａｎｅ  Ｅｎｔｉｔｙ：ユーザ面エンティティ）を含む無線通信システムにおいて、前記ＷＴＲＵが待機状態にある間にセル更新手続きを実行する方法であって、
前記ＷＴＲＵが、待機状態から活性状態に遷移するステップと、
前記ＷＴＲＵが、セル更新メッセージを前記ｅノードＢに送るステップと、
前記ｅノードＢが、前記セル更新メッセージを前記ＭＭＥ／ＵＰＥに転送するステップと、
前記ＭＭＥ／ＵＰＥが、前記ＭＭＥ／ＵＰＥ中の前記ＷＴＲＵに対する状態マシンを活性状態に変化させるステップ、および前記セル更新メッセージに基づく行動を起こすステップと
を備えることを特徴とする方法。
【請求項２】
前記ＷＴＲＵが、前記待機状態にある間にページ・メッセージを受信するステップであって、前記ＷＴＲＵが前記ページ・メッセージに対応するページ応答メッセージと共に前記セル更新メッセージを送ることをさらに備えることを特徴とする請求項１に記載の方法。
【請求項３】
前記セル更新メッセージが、前記ＷＴＲＵのＲＮＴＩ（Ｒａｄｉｏ  Ｎｅｔｗｏｒｋ  Ｔｅｍｐｏｒａｒｙ  Ｉｄｅｎｔｉｔｙ：無線ネットワーク一時識別子）を含み、かつ前記ｅノードＢが、複数のＭＭＥ／ＵＰＥの中の１つのＭＭＥ／ＵＰＥを前記ＲＮＴＩに基づき選択することを特徴とする請求項１に記載の方法。
【請求項４】
前記ＷＴＲＵに送るべきデータがあるときに、前記ＷＴＲＵが前記セル更新メッセージを送ることを特徴とする請求項１に記載の方法。
【請求項５】
前記ＭＭＥ／ＵＰＥが、前記ｅノードＢを介して前記ＷＴＲＵにセル更新確認メッセージおよびＲＡＢ（Ｒａｄｉｏ  Ａｃｃｅｓｓ  Ｂｅａｒｅｒ：無線アクセスベアラ）確立メッセージを送るステップと、
前記ｅノードＢおよび前記ＷＴＲＵが、前記ＲＡＢ確立メッセージに基づきＲＡＢを確立するステップと、
前記ＷＴＲＵが、前記ｅノードＢを介して前記ＭＭＥ／ＵＰＥにＲＡＢ確立およびセル更新完了メッセージを送るステップと、
前記ＭＭＥ／ＵＰＥおよび前記ＷＴＲＵが、ユーザ・データを通信するステップと
をさらに備えることを特徴とする請求項１に記載の方法。
【請求項６】
前記ＷＴＲＵが、前記セル更新メッセージを定期的に送ることを特徴とする請求項１に記載の方法。
【請求項７】
前記ＷＴＲＵが、ＲＬＣ（Ｒａｄｉｏ  Ｌｉｎｋ  Ｃｏｎｔｒｏｌ：無線回線制御）の回復不能エラー、無線回線障害、サービスエリア再侵入、およびセル再選択の内の１つが発生した場合に前記セル更新メッセージを送ることを特徴とする請求項１に記載の方法。
【請求項８】
前記無線通信システムが、３Ｇ（３ｒｄ  Ｇｅｎｅｒａｔｉｏｎ：第三世代）のＬＴＥ（Ｌｏｎｇ  Ｔｅｒｍ  Ｅｖｏｌｕｔｉｏｎ：長期発展形）無線通信システムであることを特徴とする請求項１に記載の方法。
【請求項９】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ｅノードＢ（ｅｖｏｌｖｅｄ  Ｎｏｄｅ−Ｂ：発展形のノードＢ）、およびＭＭＥ（Ｍｏｂｉｌｉｔｙ  Ｍａｎａｇｅｍｅｎｔ  Ｅｎｔｉｔｙ：移動性管理エンティティ）／ＵＰＥ（Ｕｓｅｒ  Ｐｌａｎｅ  Ｅｎｔｉｔｙ：ユーザ面エンティティ）を含む無線通信システムにおいて、前記ＷＴＲＵが待機状態にある間にＲＡ（Ｒｏｕｔｉｎｇ  Ａｒｅａ：経路制御領域）更新手続きを実行する方法であって、
待機状態にある前記ＷＴＲＵが、前記ｅノードＢによって送信されたシステム情報を読むステップと、
前記システム情報に基づき前記ＷＴＲＵが新しいＲＡ中にあると判定されたなら、前記ＷＴＲＵが待機状態から活性状態に遷移するステップと、
前記ＷＴＲＵが、ＲＡ更新メッセージを前記ｅノードＢに送るステップと、
前記ｅノードＢが、前記ＲＡ更新メッセージを前記ＭＭＥ／ＵＰＥに転送するステップと、
前記ＭＭＥ／ＵＰＥが、前記ＲＡ更新メッセージに基づき前記ＷＴＲＵに対する前記ＲＡを更新するステップと
を備えることを特徴とする方法。
【請求項１０】
前記ＲＡ更新メッセージが、前記ＷＴＲＵのＲＮＴＩ（Ｒａｄｉｏ  Ｎｅｔｗｏｒｋ  Ｔｅｍｐｏｒａｒｙ  Ｉｄｅｎｔｉｔｙ：無線ネットワーク一時識別子）を含み、かつ前記ｅノードＢが、複数のＭＭＥ／ＵＰＥの中の１つのＭＭＥ／ＵＰＥを前記ＲＮＴＩに基づき選択することを特徴とする請求項９に記載の方法。
【請求項１１】
前記ＷＴＲＵが、前記システム情報をＢＣＣＨ（Ｂｒｏａｄｃａｓｔ  Ｃｏｎｔｒｏｌ  ＣＨａｎｎｅｌ：報知制御チャンネル）を介して受信することを特徴とする請求項９に記載の方法。
【請求項１２】
前記ＭＭＥ／ＵＰＥが、前記ｅノードＢを介して前記ＷＴＲＵにＲＡ更新確認メッセージを送るステップと、
前記ＷＴＲＵが、前記ｅノードＢを介して前記ＭＭＥ／ＵＰＥにＲＡ更新完了メッセージを送るステップと
をさらに備えることを特徴とする請求項９に記載の方法。
【請求項１３】
前記ＷＴＲＵが、前記ＲＡ更新完了メッセージを送った後に待機状態に遷移するステップと、
前記ＭＭＥ／ＵＰＥが、前記ＭＭＥ／ＵＰＥ中の前記ＷＴＲＵに対する状態マシンを待機状態に変化させるステップと
をさらに備えることを特徴とする請求項１２に記載の方法。
【請求項１４】
前記ＷＴＲＵが、前記ＲＡ更新メッセージを定期的に送ることを特徴とする請求項９に記載の方法。
【請求項１５】
前記無線通信システムが、３Ｇ（３ｒｄ  Ｇｅｎｅｒａｔｉｏｎ：第三世代）のＬＴＥ（Ｌｏｎｇ  Ｔｅｒｍ  Ｅｖｏｌｕｔｉｏｎ：長期発展形）無線通信システムであることを特徴とする請求項９に記載の方法。
【請求項１６】
前記ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）が待機状態にある間にセル更新手続きを実行するように構成される無線通信システムであって、
待機状態から活性状態に遷移するように、かつセル更新メッセージをｅノードＢ（ｅｖｏｌｖｅｄ  Ｎｏｄｅ−Ｂ：発展形のノードＢ）に送るように構成されるＷＴＲＵと、
前記セル更新メッセージをＭＭＥ（Ｍｏｂｉｌｉｔｙ  Ｍａｎａｇｅｍｅｎｔ  Ｅｎｔｉｔｙ：移動性管理エンティティ）／ＵＰＥ（Ｕｓｅｒ  Ｐｌａｎｅ  Ｅｎｔｉｔｙ：ユーザ面エンティティ）に転送するように構成される前記ｅノードＢと、
前記ＭＭＥ／ＵＰＥ中の前記ＷＴＲＵに対する状態マシンを活性状態に変化させるように、かつ前記セル更新メッセージに基づく行動を起こすように構成される前記ＭＭＥ／ＵＰＥと
を備えることを特徴とするシステム。
【請求項１７】
前記ＷＴＲＵが、前記待機状態にある間にページ・メッセージを受信するように、かつ前記ページ・メッセージに対応するページ応答メッセージと共に前記セル更新メッセージを送るように構成されることを特徴とする請求項１６に記載のシステム。
【請求項１８】
前記セル更新メッセージが、前記ＷＴＲＵのＲＮＴＩ（Ｒａｄｉｏ  Ｎｅｔｗｏｒｋ  Ｔｅｍｐｏｒａｒｙ  Ｉｄｅｎｔｉｔｙ：無線ネットワーク一時識別子）を含み、かつ前記ｅノードＢが、複数のＭＭＥ／ＵＰＥの中の１つのＭＭＥ／ＵＰＥを前記ＲＮＴＩに基づき選択するように構成されることを特徴とする請求項１６に記載のシステム。
【請求項１９】
前記ＷＴＲＵに送るべきデータがあるときに、前記ＷＴＲＵが前記セル更新メッセージを送るように構成されることを特徴とする請求項１６に記載のシステム。
【請求項２０】
前記ＭＭＥ／ＵＰＥが、前記ｅノードＢを介して前記ＷＴＲＵにセル更新確認メッセージおよびＲＡＢ（Ｒａｄｉｏ  Ａｃｃｅｓｓ  Ｂｅａｒｅｒ：無線アクセスベアラ）確立メッセージを送るように、かつ前記ＷＴＲＵからＲＡＢ確立およびセル更新完了メッセージを受信した後に前記ＷＴＲＵとユーザ・データを通信するように構成されること、ならびに前記ＷＴＲＵが、前記ｅノードＢとＲＡＢを確立した後に前記ＭＭＥ／ＵＰＥにＲＡＢ確立およびセル更新完了メッセージを送るように、かつ前記ＭＭＥ／ＵＰＥと前記ユーザ・データを通信するように構成されることを特徴とする請求項１６に記載のシステム。
【請求項２１】
前記ＷＴＲＵが、前記セル更新メッセージを定期的に送るように構成されることを特徴とする請求項１６に記載のシステム。
【請求項２２】
前記ＷＴＲＵが、ＲＬＣ（Ｒａｄｉｏ  Ｌｉｎｋ  Ｃｏｎｔｒｏｌ：無線回線制御）の回復不能エラー、無線回線障害、サービスエリア再侵入、およびセル再選択の内の１つが発生した場合に前記セル更新メッセージを送るように構成されることを特徴とする請求項１６に記載のシステム。
【請求項２３】
前記無線通信システムが、３Ｇ（３ｒｄ  Ｇｅｎｅｒａｔｉｏｎ：第三世代）のＬＴＥ（Ｌｏｎｇ  Ｔｅｒｍ  Ｅｖｏｌｕｔｉｏｎ：長期発展形）無線通信システムであることを特徴とする請求項１６に記載のシステム。
【請求項２４】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）が待機状態にある間にＲＡ（Ｒｏｕｔｉｎｇ  Ａｒｅａ：経路制御領域）更新手続きを実行するように構成される無線通信システムであって、
ｅノードＢ（ｅｖｏｌｖｅｄ  Ｎｏｄｅ−Ｂ：発展形のノードＢ）によって送信されたシステム情報を前記ＷＴＲＵが待機状態にある間に読むように、前記システム情報に基づき前記ＷＴＲＵが新しいＲＡ中にあると判定されたなら待機状態から活性状態に遷移するように、かつＲＡ更新メッセージを前記ｅノードＢに送るように、構成される前記ＷＴＲＵと、
前記ＲＡ更新メッセージをＭＭＥ（Ｍｏｂｉｌｉｔｙ  Ｍａｎａｇｅｍｅｎｔ  Ｅｎｔｉｔｙ：移動性管理エンティティ）／ＵＰＥ（Ｕｓｅｒ  Ｐｌａｎｅ  Ｅｎｔｉｔｙ：ユーザ面エンティティ）に転送するように構成される前記ｅノードＢと、
前記ＲＡ更新メッセージに基づき前記ＷＴＲＵに対するＲＡを更新するように構成される前記ＭＭＥ／ＵＰＥと
を備えることを特徴とするシステム。
【請求項２５】
前記ＲＡ更新メッセージが、前記ＷＴＲＵのＲＮＴＩ（Ｒａｄｉｏ  Ｎｅｔｗｏｒｋ  Ｔｅｍｐｏｒａｒｙ  Ｉｄｅｎｔｉｔｙ：無線ネットワーク一時識別子）を含み、かつ前記ｅノードＢが、複数のＭＭＥ／ＵＰＥの中の１つのＭＭＥ／ＵＰＥを前記ＲＮＴＩに基づき選択するように構成されることを特徴とする請求項２４に記載のシステム。
【請求項２６】
前記ＷＴＲＵが、前記システム情報をＢＣＣＨ（Ｂｒｏａｄｃａｓｔ  Ｃｏｎｔｒｏｌ  ＣＨａｎｎｅｌ：報知制御チャンネル）を介して受信することを特徴とする請求項２４に記載のシステム。
【請求項２７】
前記ＭＭＥ／ＵＰＥが、前記ｅノードＢを介して前記ＷＴＲＵにＲＡ更新確認メッセージを送るように構成され、かつ前記ＷＴＲＵが、前記ｅノードＢを介して前記ＭＭＥ／ＵＰＥにＲＡ更新完了メッセージを送るように構成されることを特徴とする請求項２４に記載のシステム。
【請求項２８】
前記ＷＴＲＵが、前記ＲＡ更新完了メッセージを送った後に待機状態に遷移するように構成されること、および前記ＭＭＥ／ＵＰＥが、前記ＲＡ更新完了メッセージを受信した後に前記ＭＭＥ／ＵＰＥ中の前記ＷＴＲＵに対する状態マシンを待機状態に変化させるように構成されることを特徴とする請求項２７に記載のシステム。
【請求項２９】
前記ＷＴＲＵが、前記ＲＡ更新メッセージを定期的に送るように構成されることを特徴とする請求項２４に記載のシステム。
【請求項３０】
前記無線通信システムが、３Ｇ（３ｒｄ  Ｇｅｎｅｒａｔｉｏｎ：第三世代）のＬＴＥ（Ｌｏｎｇ  Ｔｅｒｍ  Ｅｖｏｌｕｔｉｏｎ：長期発展形）無線通信システムであることを特徴とする請求項２４に記載のシステム。
【発明の詳細な説明】
【技術分野】
【０００１】
本発明は３Ｇ（３ｒｄ  Ｇｅｎｅｒａｔｉｏｎ：第三世代）のＬＴＥ（Ｌｏｎｇ  Ｔｅｒｍ  Ｅｖｏｌｕｔｉｏｎ：長期発展形）無線通信システムに関する。本発明はより詳細には、ＬＴＥ無線通信システムにおいて、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）が待機状態にある間に、セル更新およびＲＡ（Ｒｏｕｔｉｎｇ  Ａｒｅａ：経路制御領域）更新の手続きを実行するための方法およびシステムに関する。
【背景技術】
【０００２】
３Ｇ無線通信システムの開発者は、３ＧのＬＴＥシステムを検討している。３ＧのＬＴＥ無線通信システムは、より高度な効率によるより高速のデータ速度、信号方式手続きの数および設定遅延の削減、およびＧＳＭ（Ｇｌｏｂａｌ  Ｓｔａｎｄａｒｄｓ  ｆｏｒ  Ｍｏｂｉｌｅ  ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅｓ）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：広帯域符号分割多元接続）、ＣＤＭＡ２０００、ＩＥＥＥ  ８０２−ｘｘ、または同様なものなどの、任意の無線インタフェースの相互接続および相互動作を可能とするためのネットワーク設計を取り扱うための高度化された無線インタフェースを提供する。
【０００３】
図１は、３ＧのＬＴＥ無線通信システム１００に対する構造を示す。ＬＴＥ無線通信システム１００は、ｅノードＢ（ｅｖｏｌｖｅｄ  Ｎｏｄｅ−Ｂ：発展形のノードＢ）１１０、ａＧＷ（ａｃｃｅｓｓ  ＧａｔｅＷａｙ：アクセス・ゲートウェイ）１２０、およびＷＴＲＵ１３０を含む。ａＧＷ１２０は、ＭＭＥ（Ｍｏｂｉｌｉｔｙ  Ｍａｎａｇｅｍｅｎｔ  Ｅｎｔｉｔｙ：移動性管理エンティティ）１２２およびＵＰＥ（Ｕｓｅｒ  Ｐｌａｎｅ  Ｅｎｔｉｔｙ：ユーザ面エンティティ）１２４を含む。従来の３ＧシステムにおけるＲＮＣ（Ｒａｄｉｏ  Ｎｅｔｗｏｒｋ  Ｃｏｎｔｒｏｌｌｅｒ：無線ネットワーク制御装置）の機能の多くがｅノードＢ１１０に移動されている。
【０００４】
ＭＭＥ１２２は、ＷＴＲＵコンテキスト（例えば、ＷＴＲＵおよびユーザの識別子（identity）、ＷＴＲＵ移動性状態、ユーザ・セキュリティ・パラメータ、または同様なもの）を管理し、かつ格納する。ＭＭＥ１２２は、ＷＴＲＵ１３０に対する一時的な識別子を発生させ、かつそれらをＷＴＲＵ１３０に割り付ける。ＭＭＥ１２２は、ＷＴＲＵ１３０のユーザを認証し、かつＷＴＲＵ１３０が、あるＴＡ（Ｔｒａｃｋｉｎｇ  Ａｒｅａ：追跡領域）上で、またはあるＰＬＭＮ（Ｐｕｂｌｉｃ  Ｌａｎｄ  Ｍｏｂｉｌｅ  Ｎｅｔｗｏｒｋ：公衆移動通信網）上でキャンプオン（ｃａｍｐ  ｏｎ）することができるか否かの権限をチェックする。ＭＭＥ１２２は、別々のｅノードＢ１１０の間での移動性動作を支援し、かつＷＴＲＵ１３０のために継ぎ目のないサービス連続性を維持する。
【０００５】
ＵＰＥ１２４は、ＷＴＲＵ１３０のＬＴＥ＿待機（Ｉｄｌｅ）状態に対する下り回線および上り回線データ路の両方を終端し、かつＷＴＲＵ１３０に対して下り回線データが到着したとき、ページングを起動しそして開始する。ＵＰＥ１２４は、ＷＴＲＵコンテキスト（例えば、ＩＰ（Ｉｎｔｅｒｎｅｔ  Ｐｒｏｔｏｃｏｌ：インターネット・プロトコル）ベアラ・サービスのパラメータ、およびネットワーク内部経路制御情報）を管理し、かつ格納する。
【０００６】
ＭＭＥ１２２およびＷＴＲＵ１３０の両方は、図２に示されるように移動性管理のためのＬＴＥ状態マシンを維持する。ＷＴＲＵ１３０の状態は、ＬＴＥ＿切り離し（Ｄｅｔａｃｈｅｄ）状態、ＬＴＥ＿待機（Ｉｄｌｅ）状態、およびＬＴＥ＿活性（Ａｃｔｉｖｅ）状態の内の１つであることができる。ＬＴＥ＿切り離し状態においては、ＷＴＲＵ１３０では電源が切断され、かつＲＲＣエンティティが存在しない。この状態では、ＷＴＲＵ１３０の位置はシステム１００には分らない。電源を投入すると、ＷＴＲＵ１３０はＬＴＥ＿切り離し状態からＬＴＥ＿活性状態へ状態遷移をし、かつシステム１００に登録を実行する。
【０００７】
ＬＴＥ＿切り離し状態からＬＴＥ＿活性状態への状態遷移の間に、ＷＴＲＵ１３０は、ＭＭ（Ｍｏｂｉｌｉｔｙ  Ｍａｎａｇｅｍｅｎｔ：移動性管理）状態を確立し、かつＰＤＰ（Ｐａｃｋｅｔ  Ｄａｔａ  Ｐｒｏｔｏｃｏｌ：パケット・データ・プロトコル）コンテキストを獲得する。ＷＴＲＵ１３０はまた、セキュリティ・コンテキスト、ＲＲＣ（Ｒａｄｉｏ  Ｒｅｓｏｕｒｃｅ  Ｃｏｎｔｒｏｌ：無線資源管理）コンテキスト、能力コンテキスト、ＱｏＳ（Ｑｕａｌｉｔｙ  ｏｆ  Ｓｅｒｖｉｃｅ：サービス品質）コンテキスト、ＲＢ（Ｒａｄｉｏ  Ｂｅａｒｅｒ：無線ベアラ）コンテキスト、および一時的な識別子を獲得する。Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｔｙ：セルの無線ネットワーク一時識別子）、ＴＡ−ＩＤ(Ｔｒａｃｋｉｎｇ  Ａｒｅａ  ＩＤｅｎｔｉｔｙ:追跡領域識別子）、ＩＰアドレス、または同様なものがＷＴＲＵ１３０に割り付けられ、そして認証およびセキュリティ関係が確立される。この点にて、システム１００には、ＷＴＲＵ１３０の位置はセル・レベルにて理解される。
【０００８】
ＷＴＲＵ１３０は登録の後、不活性または他の理由に依り、ＬＴＥ＿活性状態からＬＴＥ＿待機状態へ遷移するよう強制される場合がある。ＷＴＲＵ１３０は、それ自体でＬＴＥ＿待機状態へ遷移することができる。ＷＴＲＵ１３０がＬＴＥ＿待機状態にある間に、ＴＡ（Ｔｒａｃｋｉｎｇ  Ａｒｅａ：追跡領域）がＷＴＲＵ１３０に割り当てられ、そしてＷＴＲＵ１３０の位置がネットワークにＴＡレベルにて理解される。
【０００９】
図３は、代表的ＬＴＥのＲＡ（Ｒｏｕｔｉｎｇ  Ａｒｅａ：経路制御領域）を示す。ＬＴＥ＿待機状態機能は、ＭＭＥおよび／またはＵＰＥによって取り扱われる。図３は一例として３つのＲＡを示すが、何れの数、および何れのレベルのＲＡも存在することができ、かつ１つのＲＡにおいて何れの数のセルをも含むことができるということを注意するべきである。図３において、セル１および２はＬＴＥ  ＲＡ１中に含まれ、セル２〜４はＬＴＥ  ＲＡ２中に含まれ、そしてセル４〜６はＬＴＥ  ＲＡ３中に含まれる。セルは、隣接するＲＡの間で部分的に重ね合わせられ、ピンポン現象を回避する。
【００１０】
ＷＴＲＵ１３０がＬＴＥ＿待機状態にある間に、ＷＴＲＵ１３０は、ＬＴＥ＿活性状態への遷移が必要な場合（例えば、ＷＴＲＵ１３０がページング・メッセージを受信したとき）には、迅速な遷移を為す（例えば、１００ｍｓ未満で）ことを必要とされる。さらに、ＬＴＥ＿待機状態の間での不必要なトラフィックは排除されるべきである。
【発明の開示】
【発明が解決しようとする課題】
【００１１】
従って、ＷＴＲＵ１３０がＬＴＥ＿待機状態にある間の、迅速なセル更新およびＲＡ更新のための方法およびシステムを提供することが望まれるであろう。
【課題を解決するための手段】
【００１２】
本発明は、３ＧのＬＴＥ無線通信システムにおいて、ＷＴＲＵが待機状態にある間に、セル更新およびＲＡ更新の手続きを実行するための方法およびシステムに関する。ＷＴＲＵが待機状態にある間に、ＷＴＲＵがページ・メッセージを受信するか、または送信するべきデータを有するとき、ＷＴＲＵは活性状態に遷移し、そしてｅノードＢにセル更新メッセージを送る。ｅノードＢはそのセル更新メッセージをＭＭＥ／ＵＰＥに転送する。ＭＭＥ／ＵＰＥは、ＷＴＲＵの状態を活性状態に変化させ、かつそのセル更新メッセージに基づく行動を起こす。ＷＴＲＵが待機状態にあり、そして新しいＲＡに移動すると、ＷＴＲＵはｅノードＢを介してＭＭＥ／ＵＰＥにＲＡ更新メッセージを送る。ＭＭＥ／ＵＰＥは、そのＲＡ更新メッセージに基づきＷＴＲＵに対するＲＡを更新する。
【００１３】
例として与えられ、かつ付加された図面に関連して理解されるべき、好適な実施例の以下の記述から、本発明のより詳細な理解を得ることができる。
【発明を実施するための最良の形態】
【００１４】
今後参照されると、用語「ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）」は限定するものではないが、ＵＥ（Ｕｓｅｒ  Ｅｑｕｉｐｍｅｎｔ：ユーザ設備）、移動端末（ｍｏｂｉｌｅ  ｓｔａｔｉｏｎ）、固定または移動体の加入者ユニット、ページャ、携帯電話、ＰＤＡ（Ｐｅｒｓｏｎａｌ  Ｄｉｇｉｔａｌ  Ａｓｓｉｓｔａｎｔ：携帯情報端末）、コンピュータ、または無線環境において動作することが可能な他のいかなる型のデバイスをも含む。以後参照されると、「ｅノードＢ（ｅＮｏｄｅ−Ｂ）」は限定するものではないが、サイト制御装置、ＡＰ（Ａｃｃｅｓｓ・Ｐｏｉｎｔ：アクセス・ポイント）、または無線環境において動作することが可能な他のいかなる型のインタフェース・デバイスをも含む。
【００１５】
本発明の特徴は、ＩＣ（Ｉｎｔｅｇｒａｔｅｄ  Ｃｉｒｃｕｉｔ：集積回路）に組み込むこと、または相互接続された多数の部品を備える回路において構成することができる。
【００１６】
図４は、本発明によるＬＴＥセル更新手続きを実行するための処理４００の信号フロー図である。ＷＴＲＵ４５２は現在ＬＴＥ＿待機状態にあり、そしてＭＭＥ／ＵＰＥ４５６においてＷＴＲＵの状態はまたＬＴＥ＿待機状態に設定される（ステップ４０２）。ＬＴＥ＿待機状態においてＷＴＲＵ４５２は、ページング・チャンネル上でキャンプオンするＤＲＸ（Ｄｉｓｃｏｎｔｉｎｕｏｕｓ  Ｒｅｃｅｐｔｉｏｎ：間欠受信）モードにて動作する。ＷＴＲＵ４５２がＬＴＥ＿待機状態にある間に、ＬＴＥセル更新は自立的に実行される。
【００１７】
ステップ４０４にてＷＴＲＵ４５２に対する着信トラフィックを受信すると、ＭＭＥ／ＵＰＥ４５６は、ＷＴＲＵ４５２に対するＬＴＥ  ＲＡにおいてＷＴＲＵ４５２を呼び出す（ｐａｇｅ）。ＭＭＥ／ＵＰＥ４５６は、ｅノードＢ４５４にページ・メッセージを送る（ステップ４０６）。ｅノードＢ４５４は、そのページ・メッセージをＷＴＲＵ４５２に送信する（ステップ４０８）。ＷＴＲＵ４５２は、そのページ・メッセージを受信すると、ＬＴＥ＿待機状態からＬＴＥ＿活性状態へ遷移する（ステップ４１０）。
【００１８】
次にＷＴＲＵ４５２は、ページ応答メッセージと共にセル更新メッセージをｅノードＢ４５４へ送る（ステップ４１２）。セル更新メッセージは、ＭＭＥ／ＵＰＥ４５６によって割り当てられたＷＴＲＵ４５２の一時的な識別子（例えば、ＲＮＴＩ（Ｒａｄｉｏ  Ｎｅｔｗｏｒｋ  Ｔｅｍｐｏｒａｒｙ  Ｉｄｅｎｔｉｔｙ：無線ネットワーク一時識別子）を含む。ｅノードＢ４５４は、その識別子（例えば、ＲＮＴＩ）に基づき、適切なＭＭＥ／ＵＰＥ４５６にセル更新メッセージを転送する（ステップ４１４）。これにより、ｅノードＢ群およびＭＭＥ／ＵＰＥ群の間の複数対複数の構成を支援することが可能になる。複数対複数の構成とは、単一のデバイスにおけるＭＭＥおよびＵＰＥの組み合わせ、および別々のＭＭＥおよびＵＰＥの変形（例えばａＧＷから分離した自立型のＭＭＥ／ＵＰＥ、および単一のＵＰＥが複数のＭＭＥを支援するａＧＷ中に含まれるＵＰＥを伴う自立型のＭＭＥ）を含む、ＭＭＥ／ＵＰＥに関する種々の配置のシナリオを言及する。
【００１９】
セル更新メッセージを受信した後、ＭＭＥ／ＵＰＥ４５６は、ＷＴＲＵ４５２の状態をＬＴＥ＿活性状態に変化させ（ステップ４１６）、そしてｅノードＢ４５４にＲＡＢ（Ｒａｄｉｏ  Ａｃｃｅｓｓ  Ｂｅａｒｅｒ：無線アクセスベアラ）確立およびセル更新確認メッセージを送る（ステップ４１８）。次にそのＲＡＢ確立メッセージに基づき、ｅノードＢ４５４およびＷＴＲＵ４５２の間にＲＡＢが確立される（ステップ４２０）。ＷＴＲＵ４５２は次に、ｅノードＢ４５４にＲＡＢ確立およびセル更新完了メッセージを送る（ステップ４２２）。ｅノードＢ４５４は、そのＲＡＢ確立およびセル更新完了メッセージをＭＭＥ／ＵＰＥ４５６に送る（ステップ４２４）。そしてユーザ・データがＷＴＲＵ４５２およびＭＭＥ／ＵＰＥ４５６の間で通信される（ステップ４２６）。
【００２０】
ＷＴＲＵに、送信するべき未処理のトラフィック・データ（すなわちデータまたは信号方式）があるときにもまた、ＬＴＥセル更新手続きが実行される。図５は、本発明の別の実施形態による、未処理のトラフィックに対して適切なＲＡＢおよび関連付けられたトンネルを確立するためにＬＴＥセル更新手続きを実行するための処理５００の信号フロー図である。ＷＴＲＵ５５２は現在確立されたＲＡＢまたはトンネルなしでのＬＴＥ＿待機状態にあり、そしてＷＴＲＵ５５２の状態はまたＭＭＥ／ＵＰＥ５５６においてＬＴＥ−待機状態に設定される（ステップ５０２）。
【００２１】
ＷＴＲＵ５５２に送信するべきデータがある場合には、ＷＴＲＵ５５２は、ＬＴＥ＿待機状態からＬＴＥ＿活性状態へ遷移する（ステップ５０４）。ＷＴＲＵ５５２は次に、ｅノードＢ５５４にセル更新メッセージを送る（ステップ５０６）。ＬＴＥセル更新メッセージは、最後に対応したＭＭＥ／ＵＰＥ５５６によって割り当てられたＷＴＲＵ５５２の一次的な識別子（例えば、ＲＮＴＩ）と共に、最後のＲＡ更新に関する情報（例えば、最後のＲＡ識別または最後のセル更新ＩＤ）を含む。ｅノードＢ５５４は、その最後のＲＡまたはセル更新情報を分析し、適切な対応するＭＭＥ／ＵＰＥを決定し、次にその識別子（例えば、ＲＡ  ＩＤ、セル更新ＩＤ、またはＲＮＴＩ）に基づき適切なＭＭＥ／ＵＰＥ５５６にそのＬＴＥセル更新メッセージを転送する（ステップ５０８）。
【００２２】
対応するＭＭＥ／ＵＰＥが同一（すなわち、そのＷＴＲＵへの最後の通信が来たｅノードＢを支援したのと同一のＭＭＥ／ＵＰＥ）と仮定すると、そのＭＭＥ／ＵＰＥ５５６はセル更新メッセージを受信した後、ＷＴＲＵ５５２の状態をＬＴＥ＿活性状態に変化させ（ステップ５１０）、そしてｅノードＢ５５４に、ＲＡＢおよびトンネル確立、およびセル更新確認メッセージを戻す（ステップ５１２）。ここでＵＰＥ５５６およびｅノードＢ５５４の間で新しいトンネルが確立される。ＲＡＢ確立メッセージに基づき、新しいＲＡＢはｅノードＢ５５４およびＷＴＲＵ５５２の間にもまた、確立される（ステップ５１４）。ＷＴＲＵ５５２およびｅノードＢ５５４の間にＲＡＢが確立された後に、ＷＴＲＵ５５２は、ＲＡＢ確立およびセル更新完了メッセージをｅノードＢ５５４に送る（ステップ５１６）。ｅノードＢ５５４は、そのＲＡＢ確立およびセル更新完了メッセージをＭＭＥ／ＵＰＥ５５６に転送する（ステップ５１８）。そしてユーザ・データが、ＷＴＲＵ５５２およびＭＭＥ／ＵＰＥ５５６の間で通信される（ステップ５２０）。
【００２３】
図６は、本発明によるＬＴＥ  ＲＡ更新を実行するための処理６００の信号フロー図である。ＷＴＲＵ６５２は現在ＬＴＥ＿待機状態にあり、そしてＷＴＲＵの状態はまたＭＭＥ／ＵＰＥ６５６においてＬＴＥ＿待機状態に設定される（ステップ６０２）。ＬＴＥ＿待機状態においてＷＴＲＵ６５２は、ページング・チャンネル上でキャンプオンしＤＲＸ（Ｄｉｓｃｏｎｔｉｎｕｏｕｓ  Ｒｅｃｅｐｔｉｏｎ：間欠受信）モードにて動作する。ＷＴＲＵ６５２がセルを変化させると、ＷＴＲＵ６５２は、新しいセルの中のＢＣＣＨ（Ｂｒｏａｄｃａｓｔ  Ｃｏｎｔｒｏｌ  ＣＨａｎｎｅｌ：報知制御チャンネル）上でキャンプオンし、新しいセルのセル識別子を受信し、かつ新しいセルが新しいＬＴＥ  ＲＡに属するか否かを判定する（ステップ６０４）。新しいセルが新しいＬＴＥ  ＲＡに属すると判定されたなら、ＷＴＲＵ６５２がＲＡ更新手続きを実行する。ＬＴＥ  ＲＡ更新は定期的に実行することができる。この動作においては、送信するべきデータ・トラフィックがないため、ＷＴＲＵ６５２およびｅノードＢ６５４の間のＲＡＢ確立、またはｅノードＢ６５４およびＵＰＥ６５６の間のトンネル確立についてはその必要性はない。
【００２４】
ＷＴＲＵ６５２は、ＬＴＥ＿待機状態からＬＴＥ＿活性状態に遷移する（ステップ６０６）。ＷＴＲＵ６５２は次に、ｅノードＢ６５４にＬＴＥ  ＲＡ更新メッセージを送る（ステップ６０８）。そのＬＴＥ  ＲＡ更新メッセージは、ＷＴＲＵ６５２の一時的な識別子（例えば、ＲＮＴＩ）を含む。ｅノードＢ６５４は、ＷＴＲＵ６５２（ステップ６１０）の一時的な識別子に基づき適切なＭＭＥ／ＵＰＥ６５６を選択し、そして選択されたＭＭＥ／ＵＰＥ６５６に向けてＬＴＥ  ＲＡ更新メッセージを経路制御する（ステップ６１２）。
【００２５】
ＭＭＥ／ＵＰＥ６５６は、ＬＴＥ  ＲＡ更新メッセージを受信すると、ＷＴＲＵ６５２の状態をＬＴＥ＿活性状態に変化させる（ステップ６１４）。この時点ではＷＴＲＵ６５２はセル・レベルで理解されているためＷＴＲＵ６５２の状態が変更され、そしてＷＴＲＵ６５２に対して新しいデータ・トラフィックが到着したときに、ＲＡに対してＷＴＲＵ６５２を呼び出す必要性はない。ＭＭＥ／ＵＰＥ６５６は次に、ＬＴＥ  ＲＡ更新確認メッセージをｅノードＢ６５４に送る（ステップ６１６）。そのＬＴＥ  ＲＡ更新確認メッセージは、ＷＴＲＵ６５２に対する新しいＬＴＥ  ＲＡを含み、そしてまたＷＴＲＵ６５２の状態のＬＴＥ＿待機状態に変更し戻す命令をも含むことができる。ｅノードＢ６５４は、そのＬＴＥ  ＲＡ更新確認メッセージをＷＴＲＵへ転送する（ステップ６１８）。
【００２６】
そのＬＴＥ  ＲＡ更新確認メッセージを受信した後に、ＷＴＲＵ６５２はＬＴＥ  ＲＡ更新完了メッセージをｅノードＢ６５４に送り（ステップ６２０）、そしてＬＴＥ＿待機状態へ遷移する（ステップ６２２）。ｅノードＢ６５４は、そのＬＴＥ  ＲＡ更新完了メッセージをＭＭＥ／ＵＰＥ６５６に転送する（ステップ６２４）。ＭＭＥ／ＵＰＥ６５６は次に、ＷＴＲＵ６５２の状態をＬＴＥ−待機状態へ変化させる（ステップ６２６）。
【００２７】
セル更新および／またはＲＡ更新は定期的に実行することができる。セル更新はまた、ＲＬＣ（Ｒａｄｉｏ  Ｌｉｎｋ  Ｃｏｎｔｒｏｌ：無線回線制御）の回復不能エラー、無線回線障害時、サービスエリア再侵入、セル再選択、または同様なものの場合に実行することができる。
【００２８】
実施形態
１．ＷＴＲＵ、ｅノードＢ、およびＭＭＥ／ＵＰＥを含む無線通信システムにおいて、ＷＴＲＵが待機状態にある間にセル更新手続きを実行する方法。
【００２９】
２．前記ＷＴＲＵが、待機状態から活性状態に遷移するステップを備える実施形態１の方法。
【００３０】
３．前記ＷＴＲＵが、セル更新メッセージを前記ｅノードＢに送るステップを備える実施形態２の方法。
【００３１】
４．前記ｅノードＢが、前記セル更新メッセージを前記ＭＭＥ／ＵＰＥに転送するステップが備える実施形態３の方法。
【００３２】
５．前記ＭＭＥ／ＵＰＥが、前記ＭＭＥ／ＵＰＥ中の前記ＷＴＲＵに対する状態マシンを活性状態に変化させるステップ、および前記セル更新メッセージに基づく行動を起こすステップを備える実施形態４の方法。
【００３３】
６．前記ＷＴＲＵが、前記待機状態にある間にページ・メッセージを受信するステップをさらに備えることであって、前記ＷＴＲＵが前記ページ・メッセージに対応するページ応答メッセージと共に前記セル更新メッセージを送る実施形態２〜５のいずれかにおけるような方法。
【００３４】
７．前記セル更新メッセージが、前記ＷＴＲＵのＲＮＴＩを含み、かつ前記ｅノードＢが、複数のＭＭＥ／ＵＰＥの中の１つのＭＭＥ／ＵＰＥを前記ＲＮＴＩに基づき選択する実施形態３〜６のいずれかにおけるような方法。
【００３５】
８．前記ＷＴＲＵに送るべきデータがあるときに、前記ＷＴＲＵが前記セル更新メッセージを送る実施形態３〜７のいずれかにおけるような方法。
【００３６】
９．前記ＭＭＥ／ＵＰＥが、前記ＷＴＲＵに前記ｅノードＢを介してセル更新確認メッセージおよびＲＡＢ確立メッセージを送るステップをさらに備える実施形態５〜８のいずれかにおけるような方法。
【００３７】
１０．前記ｅノードＢおよび前記ＷＴＲＵが、前記ＲＡＢ確立メッセージに基づきＲＡＢを確立するステップを備える実施形態９の方法。
【００３８】
１１．前記ＷＴＲＵが、前記ｅノードＢを介して前記ＭＭＥ／ＵＰＥにＲＡＢ確立およびセル更新完了メッセージを送るステップを備える実施形態１０の方法。
【００３９】
１２．前記ＭＭＥ／ＵＰＥおよび前記ＷＴＲＵが、ユーザ・データを通信するステップを備える実施形態１１の方法。
【００４０】
１３．前記ＷＴＲＵが、前記セル更新メッセージを定期的に送る実施形態３〜１２のいずれかにおけるような方法。
【００４１】
１４．前記ＷＴＲＵが、ＲＬＣ（Ｒａｄｉｏ  Ｌｉｎｋ  Ｃｏｎｔｒｏｌ：無線回線制御）の回復不能エラー、無線回線障害、サービスエリア再侵入、およびセル再選択の内の１つが発生した場合に前記セル更新メッセージを送る実施形態３〜１２のいずれかにおけるような方法。
【００４２】
１５．前記無線通信システムが、３ＧのＬＴＥ無線通信システムである実施形態１〜１４のいずれかにおけるような方法。
【００４３】
１６．ＷＴＲＵ、ｅノードＢ、およびＭＭＥ／ＵＰＥを含む無線通信システムにおいて、ＷＴＲＵが待機状態にある間にＲＡ更新手続きを実行する方法。
【００４４】
１７．待機状態にある前記ＷＴＲＵが、前記ｅノードＢによって送信されたシステム情報を読むステップを備える実施形態１６の方法。
【００４５】
１８．前記システム情報に基づき前記ＷＴＲＵが新しいＲＡ中にあると判定されたなら、前記ＷＴＲＵが待機状態から活性状態に遷移するステップを備える実施形態１７の方法。
【００４６】
１９．前記ＷＴＲＵが、ＲＡ更新メッセージを前記ｅノードＢに送るステップを備える実施形態１８の方法。
【００４７】
２０．前記ｅノードＢが、前記ＲＡ更新メッセージを前記ＭＭＥ／ＵＰＥに転送するステップを備える実施形態１９の方法。
【００４８】
２１．前記ＭＭＥ／ＵＰＥが、前記ＲＡ更新メッセージに基づき前記ＷＴＲＵに対する前記ＲＡを更新するステップを備える実施形態２０の方法。
【００４９】
２２．前記ＲＡ更新メッセージが、前記ＷＴＲＵのＲＮＴＩを含み、かつ前記ｅノードＢが、複数のＭＭＥ／ＵＰＥの中の１つのＭＭＥ／ＵＰＥを前記ＲＮＴＩに基づき選択する実施形態１９〜２１のいずれかにおけるような方法。
【００５０】
２３．前記ＷＴＲＵが、前記システム情報をＢＣＣＨを介して受信する実施形態１７〜２２のいずれかにおけるような方法。
【００５１】
２４．前記ＭＭＥ／ＵＰＥが、前記ＷＴＲＵに前記ｅノードＢを介してＲＡ更新確認メッセージを送るステップをさらに備える実施形態２１〜２３のいずれかにおけるような方法。
【００５２】
２５．前記ＷＴＲＵが、前記ｅノードＢを介して前記ＭＭＥ／ＵＰＥにＲＡ更新完了メッセージを送るステップを備える実施形態２４の方法。
【００５３】
２６．前記ＷＴＲＵが、前記ＲＡ更新完了メッセージを送った後に待機状態に遷移するステップを備える実施形態２５の方法。
【００５４】
２７．前記ＭＭＥ／ＵＰＥが、前記ＭＭＥ／ＵＰＥ中の前記ＷＴＲＵに対する状態マシンを待機状態に変化させるステップを備える実施形態２６の方法。
【００５５】
２８．前記ＷＴＲＵが、前記ＲＡ更新メッセージを定期的に送る実施形態１９〜２７のいずれかにおけるような方法。
【００５６】
２９．前記無線通信システムが、３ＧのＬＴＥ無線通信システムである実施形態１６〜２８のいずれかにおけるような方法。
【００５７】
３０．前記ＷＴＲＵが待機状態にある間にセル更新手続きを実行するように構成される無線通信システム。
【００５８】
３１．待機状態から活性状態に遷移するように、かつセル更新メッセージをｅノードＢに送るように構成されるＷＴＲＵを備える実施形態３０のシステム。
【００５９】
３２．前記セル更新メッセージをＭＭＥ／ＵＰＥに転送するように構成される前記ｅノードＢを備える実施形態３１のシステム。
【００６０】
３３．前記ＭＭＥ／ＵＰＥ中の前記ＷＴＲＵに対する状態マシンを活性状態に変化させるように、かつ前記セル更新メッセージに基づく行動を起こすように構成される前記ＭＭＥ／ＵＰＥを備える実施形態３２のシステム。
【００６１】
３４．前記ＷＴＲＵが、前記待機状態にある間にページ・メッセージを受信するように、かつ前記ページ・メッセージに対応するページ応答メッセージと共に前記セル更新メッセージを送るように構成される実施形態３１〜３３のいずれかにおけるようなシステム。
【００６２】
３５．前記セル更新メッセージが、前記ＷＴＲＵのＲＮＴＩを含み、かつ前記ｅノードＢが、複数のＭＭＥ／ＵＰＥの中の１つのＭＭＥ／ＵＰＥを前記ＲＮＴＩに基づき選択するように構成される実施形態３１〜３４のいずれかにおけるようなシステム。
【００６３】
３６．前記ＷＴＲＵに送るべきデータがあるときに、前記ＷＴＲＵが前記セル更新メッセージを送るように構成される実施形態３１〜３５のいずれかにおけるようなシステム。
【００６４】
３７．前記ＭＭＥ／ＵＰＥが、前記ＷＴＲＵに前記ｅノードＢを介してセル更新確認メッセージおよびＲＡＢ確立メッセージを送るように、かつ前記ＷＴＲＵからＲＡＢ確立およびセル更新完了メッセージを受信した後に前記ＷＴＲＵとユーザ・データを通信するように構成される実施形態３３〜３６のいずれかにおけるようなシステム。
【００６５】
３８．前記ＷＴＲＵが、前記ｅノードＢとＲＡＢを確立した後に前記ＭＭＥ／ＵＰＥにＲＡＢ確立およびセル更新完了メッセージを送るように、かつ前記ＭＭＥ／ＵＰＥと前記ユーザ・データを通信するように構成される実施形態３７のシステム。
【００６６】
３９．前記ＷＴＲＵが、前記セル更新メッセージを定期的に送るように構成される実施形態３１〜３８のいずれかにおけるようなシステム。
【００６７】
４０．前記ＷＴＲＵが、ＲＬＣ（Ｒａｄｉｏ  Ｌｉｎｋ  Ｃｏｎｔｒｏｌ：無線回線制御）の回復不能エラー、無線回線障害、サービスエリア再侵入、およびセル再選択の内の１つが発生した場合に前記セル更新メッセージを送るように構成される実施形態３１〜３８のいずれかにおけるようなシステム。
【００６８】
４１．前記無線通信システムが、３ＧのＬＴＥ無線通信システムである実施形態３０〜４０のいずれかにおけるようなシステム。
【００６９】
４２．前記ＷＴＲＵが待機状態にある間にＲＡ更新手続きを実行するように構成される無線通信システム。
【００７０】
４３．ｅノードＢによって送信されたシステム情報をＷＴＲＵが待機状態にある間に読むように、前記システム情報に基づき前記ＷＴＲＵが新しいＲＡ中にあると判定されたなら待機状態から活性状態に遷移するように、かつＲＡ更新メッセージを前記ｅノードＢに送るように、構成される前記ＷＴＲＵを備える実施形態４２のシステム。
【００７１】
４４．前記ＲＡ更新メッセージをＭＭＥ／ＵＰＥに転送するように構成される前記ｅノードＢを備える実施形態４３のシステム。
【００７２】
４５．前記ＲＡ更新メッセージに基づき前記ＷＴＲＵに対するＲＡを更新するように構成される前記ＭＭＥ／ＵＰＥを備える実施形態４４のシステム。
【００７３】
４６．前記ＲＡ更新メッセージが、前記ＷＴＲＵのＲＮＴＩを含み、かつ前記ｅノードＢが、複数のＭＭＥ／ＵＰＥの中の１つのＭＭＥ／ＵＰＥを前記ＲＮＴＩに基づき選択するように構成される実施形態４３〜４５のいずれかにおけるようなシステム。
【００７４】
４７．前記ＷＴＲＵが、前記システム情報をＢＣＣＨを介して受信する実施形態４３〜４６のいずれかにおけるようなシステム。
【００７５】
４８．前記ＭＭＥ／ＵＰＥが、前記ＷＴＲＵに前記ｅノードＢを介してＲＡ更新確認メッセージを送るように構成され、かつ前記ＷＴＲＵが、前記ｅノードＢを介して前記ＭＭＥ／ＵＰＥにＲＡ更新完了メッセージを送るように構成される実施形態４５〜４７のいずれかにおけるようなシステム。
【００７６】
４９．前記ＷＴＲＵが、前記ＲＡ更新完了メッセージを送った後に待機状態に遷移するように構成され、かつ前記ＭＭＥ／ＵＰＥが、前記ＲＡ更新完了メッセージを受信した後に前記ＭＭＥ／ＵＰＥ中の前記ＷＴＲＵに対する状態マシンを待機状態に変化させるように構成される実施形態４８のシステム。
【００７７】
５０．前記ＷＴＲＵが、前記ＲＡ更新メッセージを定期的に送るように構成される実施形態４３〜４９のいずれかにおけるようなシステム。
【００７８】
５１．前記無線通信システムが、３ＧのＬＴＥ無線通信システムである実施形態４２〜５０のいずれかにおけるようなシステム。
【００７９】
本発明の特徴および要素が好適な実施形態において特定の組み合わせにて記述されているが、それぞれの特徴または要素は好適な実施形態の他の特徴および要素なしで単独にて、または本発明の他の特徴および要素のあるなしにかかわらず、様々な組み合わせにて使用可能である。本発明において提供された方法またはフロー図は、汎用目的の計算機または処理装置による実行のためのコンピュータにて読み込み可能な記憶媒体にて実体的に具現化されたコンピュータ・プログラム、ソフトウェア、またはファームウェアにて実施することができる。コンピュータにて読み込み可能な記憶媒体の例としては、ＲＯＭ（Ｒｅａｄ  Ｏｎｌｙ  Ｍｅｍｏｒｙ：読み出し専用メモリ）、ＲＡＭ（Ｒａｎｄｏｍ  Ａｃｃｅｓｓ  Ｍｅｍｏｒｙ：ランダム・アクセス・メモリ）、レジスタ、キャッシュ・メモリ、半導体記憶デバイス、内蔵ハード・ディスクおよび着脱可能ディスクなどの磁気媒体、磁気−光学媒体、およびＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００８０】
適切な処理装置の例としては、汎用目的処理装置、専用目的処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）回路、他の何れかの型のＩＣ（Ｉｎｔｅｇｒａｔｅｄ  Ｃｉｒｃｕｉｔ：集積回路）、および／または状態マシンが含まれる。
【００８１】
ソフトウェアに関連付けられた処理装置は、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザ設備）、端末、基地局、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピュータにおける使用のための無線周波数送受信機を実施するために使用することができる。ＷＴＲＵは、ハードウェアおよび／またはソフトウェアで実施され、カメラ、ビデオカメラ・モジュール、テレビ電話、スピーカフォン、振動デバイス、スピーカ、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調）された無線ユニット、ＬＣＤ（Ｌｉｑｕｉｄ  Ｃｒｙｓｔａｌ  Ｄｉｓｐｌａｙ：液晶）表示装置、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤ、メディア・プレーヤ、テレビゲーム・プレーヤ・モジュール、インターネット・ブラウザ、および／または任意のＷＬＡＮ（Ｗｉｒｅｌｅｓｓ  Ｌｏｃａｌ  Ａｒｅａ  Ｎｅｔｗｏｒｋ：無線ローカル・エリア・ネットワーク）モジュールなどのモジュールと連動して使用することができる。
【図面の簡単な説明】
【００８２】
【図１】３ＧのＬＴＥ無線通信システムに対して提案されたネットワーク構造を示す図である。
【図２】ＬＴＥ状態マシンを示す図である。
【図３】代表的ＬＴＥ  ＲＡを示す図である。
【図４】本発明によるＬＴＥセル更新を実行するための処理の信号フロー図である。
【図５】本発明の別の実施形態によるＬＴＥセル更新を実行するための処理の信号フロー図である。
【図６】本発明によるＬＴＥ  ＲＡ更新を実行するための処理の信号フロー図である。
【図１】
2009525681.tif 000003
【図２】
2009525681.tif 000004
【図３】
2009525681.tif 000005
【図４】
2009525681.tif 000006
【図５】
2009525681.tif 000007
【図６】
2009525681.tif 000008
【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
セル更新手続きを実行する方法であって、
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）が、前記ＷＴＲＵがページング・メッセージを受信したときに待機状態から活性状態に遷移するステップであって、前記ＷＴＲＵのＩＰ（Ｉｎｔｅｒｎｅｔ  Ｐｒｏｔｏｃｏｌ：インターネット・プロトコル）アドレスは前記ＷＴＲＵが前記待機状態にある間は維持されることと、
前記ＷＴＲＵが、ページ応答メッセージと共にセル更新メッセージをｅノードＢ（ｅｖｏｌｖｅｄ  Ｎｏｄｅ−Ｂ：発展形のノードＢ）へ送るステップであって、前記セル更新メッセージが前記ＷＴＲＵの一時的な識別子を含み、前記一時的な識別子に基づき前記セル更新メッセージが適切なＭＭＥ（Ｍｏｂｉｌｉｔｙ  Ｍａｎａｇｅｍｅｎｔ  Ｅｎｔｉｔｙ：移動性管理エンティティ）に向けて経路制御されることを可能とすることと
を備えることを特徴とする方法。
【請求項２】
セル更新手続きを実行する方法であって、
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）が、前記ＷＴＲＵに送信するべきデータがあるときに待機状態から活性状態に遷移するステップであって、前記ＷＴＲＵのＩＰ（Ｉｎｔｅｒｎｅｔ  Ｐｒｏｔｏｃｏｌ：インターネット・プロトコル）アドレスは前記ＷＴＲＵが前記待機状態にある間は維持されることと、
前記ＷＴＲＵが、セル更新メッセージをｅノードＢ（ｅｖｏｌｖｅｄ  Ｎｏｄｅ−Ｂ：発展形のノードＢ）へ送るステップであって、前記セル更新メッセージが前記ＷＴＲＵの一時的な識別子を含み、前記一時的な識別子に基づき前記セル更新メッセージが適切なＭＭＥ（Ｍｏｂｉｌｉｔｙ  Ｍａｎａｇｅｍｅｎｔ  Ｅｎｔｉｔｙ：移動性管理エンティティ）に向けて経路制御されることを可能とすること
を備えることを特徴とする方法。
【請求項３】
前記ＷＴＲＵが、セル更新確認メッセージおよびＲＡＢ（Ｒａｄｉｏ  Ａｃｃｅｓｓ  Ｂｅａｒｅｒ：無線アクセスベアラ）確立メッセージを受信するステップと、
前記ＷＴＲＵが、前記ＲＡＢ確立メッセージに基づきＲＡＢを確立するステップと、
前記ＷＴＲＵが、ＲＡＢ確立およびセル更新完了メッセージを前記ＭＭＥに送るステップと、
前記ＷＴＲＵが、ユーザ・データと通信するステップと
をさらに備えることを特徴とする請求項１に記載の方法。
【請求項４】
ＲＡ（Ｒｏｕｔｉｎｇ  Ａｒｅａ：経路制御領域）更新手続きを実行する方法であって、
待機状態にあるＷＴＲＵ（Ｗｉｒｅｌｅｓｓ  Ｔｒａｎｓｍｉｔ  Ｒｅｃｅｉｖｅ  Ｕｎｉｔ：無線送受信ユニット）が、ｅノードＢ（ｅｖｏｌｖｅｄ  Ｎｏｄｅ−Ｂ：発展形のノードＢ）によって送信されたシステム情報を読むステップであって、前記ＷＴＲＵのＩＰ（Ｉｎｔｅｒｎｅｔ  Ｐｒｏｔｏｃｏｌ：インターネット・プロトコル）アドレスは前記ＷＴＲＵが前記待機状態にある間は維持されることと、
前記ＷＴＲＵが前記システム情報に基づき新しいＲＡにあると判定されたなら、前記ＷＴＲＵが待機状態から活性状態に遷移するステップと、
前記ＷＴＲＵがＲＡ更新メッセージをｅノードＢへ送るステップであって、前記ＲＡ更新メッセージが前記ＷＴＲＵの一時的な識別子を含み、前記一時的な識別子に基づき前記ＲＡ更新メッセージが前記一時的な識別子に基づき適切なＭＭＥ（Ｍｏｂｉｌｉｔｙ  Ｍａｎａｇｅｍｅｎｔ  Ｅｎｔｉｔｙ：移動性管理エンティティ）に向けて経路制御されることを可能とすること
を備えることを特徴とする方法。
【請求項５】
前記ＷＴＲＵが、前記システム情報をＢＣＣＨ（Ｂｒｏａｄｃａｓｔ  Ｃｏｎｔｒｏｌ  ＣＨａｎｎｅｌ：報知制御チャンネル）を介して受信することを特徴とする請求項４に記載の方法。
【請求項６】
前記ＷＴＲＵが、ＲＡ更新確認メッセージを受信するステップと、
前記ＷＴＲＵが、ＲＡ更新完了メッセージを前記ＭＭＥに送るステップと
をさらに備えることを特徴とする請求項４に記載の方法。
【請求項７】
セル更新手続きを実行するように構成されるＷＴＲＵ（Ｗｉｒｅｌｅｓｓ  Ｔｒａｎｓｍｉｔ  Ｒｅｃｅｉｖｅ  Ｕｎｉｔ：無線送受信ユニット）であって、
前記ＷＴＲＵの移動性状態を待機状態から活性状態に変化させるように、かつ前記ＷＴＲＵがページング・メッセージを受信したときにページ応答メッセージと共にセル更新メッセージをｅノードＢ（ｅｖｏｌｖｅｄ  Ｎｏｄｅ−Ｂ：発展形のノードＢ）に送るように構成される処理ユニットであって、前記セル更新メッセージが前記ＷＴＲＵの一時的な識別子を含み、前記一時的な識別子に基づき前記セル更新メッセージが適切なＭＭＥ（Ｍｏｂｉｌｉｔｙ  Ｍａｎａｇｅｍｅｎｔ  Ｅｎｔｉｔｙ：移動性管理エンティティ）に向けて経路制御されることを可能とすることであり、ここで、前記ＷＴＲＵのＩＰ（Ｉｎｔｅｒｎｅｔ  Ｐｒｏｔｏｃｏｌ：インターネット・プロトコル）アドレスは前記ＷＴＲＵが前記待機状態にある間は維持されることと
を備えることを特徴とするＷＴＲＵ。
【請求項８】
セル更新手続きを実行するように構成されるＷＴＲＵ（Ｗｉｒｅｌｅｓｓ  Ｔｒａｎｓｍｉｔ  Ｒｅｃｅｉｖｅ  Ｕｎｉｔ：無線送受信ユニット）であって、
前記ＷＴＲＵの移動性状態を待機状態から活性状態に変化させるように、かつ前記ＷＴＲＵに送信するべきデータがあるときにセル更新メッセージをｅノードＢ（ｅｖｏｌｖｅｄ  Ｎｏｄｅ−Ｂ：発展形のノードＢ）に送るように構成される処理ユニットであって、前記セル更新メッセージが前記ＷＴＲＵの一時的な識別子を含み、前記一時的な識別子に基づき前記セル更新メッセージが適切なＭＭＥ（Ｍｏｂｉｌｉｔｙ  Ｍａｎａｇｅｍｅｎｔ  Ｅｎｔｉｔｙ：移動性管理エンティティ）に向けて経路制御されることを可能とすることであり、ここで、前記ＷＴＲＵのＩＰ（Ｉｎｔｅｒｎｅｔ  Ｐｒｏｔｏｃｏｌ：インターネット・プロトコル）アドレスは前記ＷＴＲＵが前記待機状態にある間は維持されることと
を備えることを特徴とするＷＴＲＵ。
【請求項９】
ＲＡ（Ｒｏｕｔｉｎｇ  Ａｒｅａ：経路制御領域）更新手続きを実行するように構成されるＷＴＲＵ（Ｗｉｒｅｌｅｓｓ  Ｔｒａｎｓｍｉｔ  Ｒｅｃｅｉｖｅ  Ｕｎｉｔ：無線送受信ユニット）であって、
前記ＷＴＲＵが待機状態にある間にｅノードＢ（ｅｖｏｌｖｅｄ  Ｎｏｄｅ−Ｂ：発展形のノードＢ）によって送信されたシステム情報を読むように、前記ＷＴＲＵが前記システム情報に基づき新しいＲＡにあると判定されたなら前記ＷＴＲＵの移動性状態を待機状態から活性状態に変化させるように、かつＲＡ更新メッセージを前記ｅノードＢに送るように構成される処理ユニットであって、前記ＲＡ更新メッセージが前記ＷＴＲＵの一時的な識別子を含み、前記一時的な識別子に基づき前記ＲＡ更新メッセージが適切なＭＭＥ（Ｍｏｂｉｌｉｔｙ  Ｍａｎａｇｅｍｅｎｔ  Ｅｎｔｉｔｙ：移動性管理エンティティ）に向けて経路制御されることを可能とすることであり、ここで、前記ＷＴＲＵのＩＰ（Ｉｎｔｅｒｎｅｔ  Ｐｒｏｔｏｃｏｌ：インターネット・プロトコル）アドレスは前記ＷＴＲＵが前記待機状態にある間は維持されることと
を備えることを特徴とするＷＴＲＵ。
【請求項１０】
前記システム情報が、ＢＣＣＨ（Ｂｒｏａｄｃａｓｔ  Ｃｏｎｔｒｏｌ  ＣＨａｎｎｅｌ：報知制御チャンネル）を介して受信されることを特徴とする請求項９に記載のＷＴＲＵ。
【国際調査報告】
2009525681.tif 000009
2009525681.tif 000010
2009525681.tif 000011